(57)【要約】【課題】  通常、油を販売する場合は、規制者により課税されるが、重油を改質して燃料として使用する改質油は、油としてのランクが明確でないために、課税額が不明となる。そのため、前記第一の販売形態によれば、現状では改質重油を燃料として販売することが困難であるという課題がある。【解決手段】  重油を改質して燃料として使用する場合に、重油改質装置製造メーカー、石油会社、ガスタービン発電設備を持つ需要家でネットワークを構成し、重油改質装置製造メーカーは、ガスタービン発電設備の排熱により生成した蒸気を用いて重油を改質する重油改質装置を、ガスタービン発電設備を持つ需要家にリースし、石油会社は、重油を需要家に販売し、需要家は、重油改質装置のリース費用を重油改質装置製造メーカーに支払う。【選択図】図１
2005208877.tif 000002
【特許請求の範囲】
【請求項１】
重油を改質して燃料として使用する場合の重油の販売方法であって、
重油改質装置製造メーカー、石油会社、ガスタービン発電設備を持つ需要家のうち、
重油改質装置製造メーカーは、ガスタービン発電設備の排熱により生成した蒸気を用いて重油を改質する重油改質装置を、ガスタービン発電設備を持つ需要家にリースし、
石油会社は、重油を需要家に販売し、
需要家は、重油改質装置のリース費用を重油改質装置製造メーカーに支払うことを特徴とする重油の販売方法。
【請求項２】
請求項１において、
石油会社は、軽油など改質を必要としない燃料油の価格よりも安い価格の範囲内において、重油の価格に所定の金額を上乗せした上乗せ設定金額で需要家に重油を販売し、
さらに前記石油会社は、前記需要家より得た重油販売費から、前記メーカーに重油改質装置のリース費用を支払うことを特徴とする重油の販売方法。
【請求項３】
請求項１において、
需要家は、軽油など改質を必要としない燃料油の価格と、石油会社から購入した重油の価格との差を利益として得、その利益から、重油改質装置製造メーカーに重油改質装置のリース費用を支払うことを特徴とする重油の販売方法。
【請求項４】
請求項１〜３のいずれか１項において、
重油改質装置製造メーカーは、重油改質装置と共に水素分離装置を需要家にリースし、
需要家は、重油を改質する際に生成される水素を前記水素分離装置で得て、その水素を石油会社に販売し、前記水素販売費から、前記メーカーに水素分離装置のリース費用を支払うことを特徴とする重油の販売方法。
【請求項５】
重油を改質して燃料として使用する場合の重油の販売システムであって、
重油改質装置製造メーカー、石油会社、ガスタービン発電設備を持つ需要家でネットワークを構成し、
重油改質装置製造メーカーは、ガスタービン発電設備の排熱により生成した蒸気を用いて重油を改質する重油改質装置を、ガスタービン発電設備を持つ需要家にリースするためのネットワークの一部を構成し、
石油会社は、重油を需要家に販売するためのネットワークの一部を構成し、
需要家は、重油改質装置のリース費用を重油改質装置製造メーカーに支払うためのネットワークの一部を構成することを特徴とする重油の販売システム。
【請求項６】
請求項５において、
石油会社は、軽油など改質を必要としない燃料油の価格よりも安い価格の範囲内において、重油の価格に所定の金額を上乗せした上乗せ設定金額で需要家に重油を販売するためのネットワークの一部を構成し、
さらに前記石油会社は、前記需要家より得た重油販売費から、前記メーカーに重油改質装置のリース費用を支払うためのネットワークの一部を構成することを特徴とする重油の販売システム。
【請求項７】
請求項５において、
需要家は、軽油などガスタービンに適用できるクリーンな燃料油の価格と、石油会社から購入した重油の価格との差を利益として得、その利益から、重油改質装置製造メーカーに重油改質装置のリース費用を支払うためのネットワークの一部を構成することを特徴とする重油の販売システム。
【請求項８】
請求項５〜７のいずれか１項において、
重油改質装置製造メーカーは、重油改質装置と共に水素分離装置を需要家にリースするためのネットワークの一部を構成し、
需要家は、重油を改質する際に生成される水素を前記水素分離装置で得て、その水素を石油会社に販売し、前記水素販売費から、前記メーカーに水素分離装置のリース費用を支払うためのネットワークの一部を構成することを特徴とする重油の販売システム。
【発明の詳細な説明】
【技術分野】
【０００１】
本発明は、石油精製過程においてガソリン、灯軽油など所謂軽油の残滓分である重油を改質して使用する場合の重油の販売方法および販売システムに関する。
【背景技術】
【０００２】
重油の需要は低迷している。
【０００３】
図１１は、重油を改質して使用する場合に従来予想される第１の販売システムを説明する図である。
【０００４】
石油会社は、重油改質装置をメーカーから購入して製油所内に設置し、改質装置により重油を改質して需要家に販売する。需要家は、重油を改質した付加価値分として、軽油など改質を必要としない燃料油と、改質しなければ燃料油として使用できないオリジナル重油の間の価格で改質油を購入し、改質を必要としない燃料油との差額を利益として得る。石油会社は、改質油の販売による利益から、製油所内に設置した改質装置の費用をメーカーに支払う。
【０００５】
図１２は、重油を改質して使用する場合に従来予想される第２の販売システムを説明する図である。
【０００６】
需要家は、重油改質装置をメーカーから購入してガスタービン発電設備の敷地内に設置し、石油会社から重油を購入する。そしてその重油を改質装置で改質し、ガスタービン発電設備の燃料として使用する。需要家は、軽油など改質を必要としない燃料油と、改質しなければ燃料油として使用できないオリジナル重油との差額を利益として得、その利益の中から、改質装置の費用をメーカーに支払う。
【０００７】
なお、後述する本発明のように、低迷している重油の需要を促進させるべく、ガスタービン発電に使用される改質重油の販売形態に関するものではないが、氷蓄熱システム提供事業のように、需要家に省エネルギー（省ランニングコスト）設備〈システム〉を導入させ、その設備費用を回収する技術が下記の特許文献１に記載されている。
【０００８】
【特許文献１】特開２００２−９２０９８号公報
【発明の開示】
【発明が解決しようとする課題】
【０００９】
通常、油を販売する場合は、規制者により課税されるが、重油を改質して燃料として使用する改質油は、油としてのランクが明確でないために、課税額が不明となる。そのため、前記第一の販売形態によれば、現状では改質重油を燃料として販売することが困難であるという課題がある。
【００１０】
一方、前記第二の販売形態では、需要家が改質装置と重油の両者を購入するために、改質装置価格と重油と軽油の差額分により決定される回収期間によっては、必ずしも需要家にメリットが出るとは限らず、改質により重油の消費量を増大するという目的に適わないという課題がある。
【００１１】
本発明の課題は、低迷している重油の需要を促進させることにある。
【課題を解決するための手段】
【００１２】
本発明は、重油を改質して燃料として使用する場合に、重油改質装置製造メーカー、石油会社、ガスタービン発電設備を持つ需要家でネットワークを構成し、重油改質装置製造メーカーは、ガスタービン発電設備の排熱により生成した蒸気を用いて重油を改質する重油改質装置を、ガスタービン発電設備を持つ需要家にリースし、石油会社は、重油を需要家に販売し、需要家は、重油改質装置のリース費用を重油改質装置製造メーカーに支払うようにしたことを特徴とするものである。
【発明の効果】
【００１３】
本発明によれば、重油を改質して改質油を得るのは、改質油を燃料として使用する需要家そのものであるため、改質油を売買することによって生じる課税の問題は無くなり、重油の需要を促進させることができる。
【００１４】
また、重油改質装置は、需要家が買い取るものではなく、リースシステムを採用するため、需要家は、重油とクリーンな燃料油との差額を利益として得、その利益の中から、改質装置のリース費用を改質装置製造メーカーに支払えばよく、改質装置を需要家が買い取る場合のように、改質装置価格と重油と軽油の差額分により決定される回収期間によっては、必ずしも需要家にメリットが出るとは限らないといった懸念を無くすことができ、これまた重油の需要を促進させることができる。
【発明を実施するための最良の形態】
【００１５】
以下、本発明を、図面に基づいて説明する。
（実施形態１）
図１は、本発明の実施形態１による重油販売方法の説明図、図２は、本発明の実施形態１における重油販売システム説明図であり、重油改質装置製造メーカー、石油会社、ガスタービン発電設備を持つ需要家でネットワークを構成している。
【００１６】
本実施形態１において、重油改質装置製造メーカーは、ガスタービン発電設備の排熱により生成した蒸気を用いて重油を改質する重油改質装置を、ガスタービン発電設備を持つ需要家にリースで提供する。なお、前記メーカーは、軽油など改質を必要としない燃料油の価格と、オリジナル重油の価格である基本データを予め入手し、この基本データに基づいて重油改質装置のリース費用を算出する。
【００１７】
需要家は、軽油など改質を必要としない燃料油の価格よりも安い価格の範囲内において、オリジナル重油の価格に所定の金額を上乗せした上乗せ設定金額で石油会社から重油を購入する。
【００１８】
石油会社は、需要家より得た重油販売費から、メーカーに重油改質装置のリース費用を支払う。
【００１９】
図３は、本実施形態１における重油改質装置製造メーカー、石油会社および需要家間でのキャッシュの関係を示す図である。
【００２０】
石油会社は、メーカーに対して改質装置リース代を確保するため、通常のＣ重油価格よりも高い価格で需要家にＣ重油を販売する。需要家は、Ｃ重油を通常より高く購入する代わりに、改質装置を無償で設置でき、Ｃ重油を需要家施設内で改質しながらガスタービン燃料として使用することができる。そして、ガスタービン燃料として使用できる最も安価な燃料であるＡ重油の価格と、さらにそれよりも安価に購入したＣ重油の価格差が需要家にとって利益となる。メーカーは、改質装置のリース費用を石油会社から受け取ることにより、利益を得る。
【００２１】
図４は、本発明の実施形態１で用いる重油改質システムの説明図である。
【００２２】
図４には、灯軽油タンク１と、ガスタービン２と、発電機３と、排熱回収ボイラー４と、重油加熱器５と、改質器６と、改質油減圧弁７と、水８と、ポンプ９と、重油１０と、ポンプ１１と、改質油１２を示してある。
【００２３】
精油所から供給される灯軽油はタンク１に貯蔵され、ガスタービン２を駆動する。ガスタービン２からの排熱により、排熱回収ボイラー４において、ポンプ９を経て、水８を２５Ｍｐａ、４５０℃以上の超臨界水状態にする。また、ポンプ１１を経て、精油所から供給される重油１０を重油加熱器５で２５Ｍｐａ、３５０℃に昇圧昇温する。超臨界状態の水８と重油１０を改質器６で混合する。改質器６は、複数の円筒容器から構成され、前記各円筒容器内部で超臨界状態の水８と重油１０が混合する。超臨界水が持つ作用として、重油との均一層を形成し、重油中の比較的高分子の油を分解、軽質化するとともに、油分子中に結合しているバナジウムなどの重金属を分離させる働きがある。改質器６内で前記超臨界水の作用が生じ、重油改質、重金属除去が行われる。分離された重金属は、改質器６中に充填した捕捉剤と反応し、改質油１２中に再び溶出することはない。改質油１２は、減圧弁７を経て減圧され、ガスタービン用の改質燃料として利用される。
【００２４】
本実施形態１によれば、石油会社は、擬似的に改質油を販売することができ、需要が低迷している重油を拡販することができる。
【００２５】
また、需要家は、従来のガスタービン用燃料に比べて燃費を抑制することができる。
（実施形態２）
図５は、本発明の実施形態２による重油販売方法の説明図、図６は、本発明の実施形態２における重油販売システム説明図であり、重油改質装置製造メーカー、石油会社、ガスタービン発電設備を持つ需要家でネットワークを構成している。
【００２６】
本実施形態２において、重油改質装置製造メーカーは、ガスタービン発電設備の排熱により生成した蒸気を用いて重油を改質する重油改質装置、さらには水素分離装置を、ガスタービン発電設備を持つ需要家にリースで提供する。なお、前記メーカーは、軽油など改質を必要としない燃料油の価格と、オリジナル重油の価格、さらには水素の価格である基本データを予め入手し、この基本データに基づいて重油改質装置、水素分離装置のリース費用を算出する。
【００２７】
需要家は、軽油など改質を必要としない燃料油の価格よりも安い価格の範囲内において、オリジナル重油の価格に所定の金額を上乗せした上乗せ設定金額で石油会社から重油を購入する。
【００２８】
需要家は、石油会社から重油を購入し、メーカーからリースされた重油改質装置、水素分離装置を用いて、重油を、主に水素と一酸化炭素から構成されるガス燃料と、改質化した液体燃料に分離し、さらに前記ガス燃料から水素分のみを分離し、石油会社に逆販売する。
【００２９】
石油会社は、需要家より得た重油販売費から、メーカーに重油改質装置、水素分離装置のリース費用を支払う。
【００３０】
図７は、本発明の実施形態２で用いる重油改質システムの説明図である。
【００３１】
図７には、灯軽油タンク１と、ガスタービン２と、発電機３と、排熱回収ボイラー４と、重油加熱器５と、改質器６と、改質油減圧弁７と、水８と、ポンプ９と、重油１０と、ポンプ１１と、改質油１２と、気液分離器１３と、水素分離装置１４と、水素タンク１５を示してある。
【００３２】
精油所から供給される灯軽油はタンク１に貯蔵され、ガスタービン２を駆動する。ガスタービン２からの排熱により、排熱回収ボイラー４において、ポンプ９を経て、水８を２５Ｍｐａ、４５０℃以上の超臨界水状態にする。また、ポンプ１１を経て、精油所から供給される重油１０を重油加熱器５で２５Ｍｐａ、３５０℃に昇圧昇温する。超臨界状態の水８と重１０油を改質器６で混合する。改質器６は、複数の円筒容器から構成され、前記各円筒容器内部で超臨界状態の水８と重油１０が混合する。超臨界水が持つ作用として、重油との均一層を形成し、重油中の比較的高分子の油を分解、軽質化するとともに、油分子中に結合しているバナジウムなどの重金属を分離させる働きがある。改質器６内で前記超臨界水の作用が生じ、重油改質、重金属除去が行われる。分離された重金属は、改質器６中に充填した捕捉剤と反応し、改質油１２中に再び溶出することはない。改質油１２は、減圧弁７を経て減圧され、気液燃料分離器１３により、ガス燃料と液体燃料に分離される。ガス燃料は、さらに水素分離装置１４を経て濃縮された後に、水素タンク１５に貯蔵、石油会社に逆販売される。なお、前記分離された液体燃料は、ガスタービン用の改質燃料として利用される。
【００３３】
本実施形態２によれば、先の実施形態１による効果に加えて、さらに、石油会社は、製油所において必須な水素購入分として需要家への重油販売価格を低減することができる。
（実施形態３）
図８は、本発明の実施形態３による重油販売方法の説明図、図９は、本発明の実施形態３における重油販売システム説明図であり、重油改質装置製造メーカー、石油会社、ガスタービン発電設備を持つ需要家でネットワークを構成している。
【００３４】
本実施形態３において、重油改質装置製造メーカーは、ガスタービン発電設備の排熱により生成した蒸気を用いて重油を改質する重油改質装置を、ガスタービン発電設備を持つ需要家にリースで提供する。なお、前記メーカーは、軽油など改質を必要としない燃料油の価格と、オリジナル重油の価格である基本データを予め入手し、この基本データに基づいて重油改質装置のリース費用を算出する。
【００３５】
需要家は、石油会社から重油を購入し、メーカーからリースされた重油改質装置を用いて改質油を得、ガスタービン燃料として使用する。そして、ガスタービン燃料として使用できる最も安価な燃料であるＡ重油の価格と、さらにそれよりも安価に購入したＣ重油の価格差が需要家にとって利益となる。
【００３６】
メーカーは、改質装置のリース費用を需要家から受け取ることにより、利益を得る。
【００３７】
本実施形態３によれば、需要家は、擬似的に改質油を購入して使用することができ、低迷している重油の需要を促進させることができる。
【００３８】
また、需要家は、従来のガスタービン用燃料に比べて燃費を抑制することができる。
（実施形態４）
図１０は、本発明の実施形態４による重油販売方法の説明図であり、重油改質装置製造メーカー、石油会社、ガスタービン発電設備を持つ需要家でネットワークを構成している。
【００３９】
本実施形態４において、重油改質装置製造メーカーは、ガスタービン発電設備の排熱により生成した蒸気を用いて重油を改質する重油改質装置、さらには水素分離装置を、ガスタービン発電設備を持つ需要家にリースで提供する。なお、前記メーカーは、軽油など改質を必要としない燃料油の価格と、オリジナル重油の価格、さらには水素の価格である基本データを予め入手し、この基本データに基づいて重油改質装置、水素分離装置のリース費用を算出する。
【００４０】
需要家は、石油会社から重油を購入し、メーカーからリースされた重油改質装置、水素分離装置を用いて、重油を、主に水素と一酸化炭素から構成されるガス燃料と、改質化した液体燃料に分離し、さらに前記ガス燃料から水素分のみを分離し、石油会社に逆販売する。
【００４１】
本実施形態４によれば、先の実施形態３による効果に加えて、さらに、需要家は、石油会社に水素を販売することによって利益を得ることができ、結果的に石油会社からの重油の購入価格を低減することができる。
【００４２】
メーカーは、重油改質装置、水素分離装置のリース費用を需要家から受け取ることにより、利益を得る。
【図面の簡単な説明】
【００４３】
【図１】本発明の実施形態１による重油販売方法の説明図である。
【図２】本発明の実施形態１における重油販売システム説明図である。
【図３】本発明の実施形態１における重油改質装置製造メーカー、石油会社および需要家間でのキャッシュの関係を示す図である。
【図４】本発明の実施形態１で用いる重油改質システムの説明図である。
【図５】本発明の実施形態２による重油販売方法の説明図である。
【図６】本発明の実施形態２における重油販売システム説明図である。
【図７】本発明の実施形態２で用いる重油改質システムの説明図である。
【図８】本発明の実施形態３による重油販売方法の説明図である。
【図９】本発明の実施形態３における重油販売システム説明図である。
【図１０】本発明の実施形態４による重油販売方法の説明図である。
【図１１】重油を改質して使用する場合に従来予想される第１の販売システムを説明する図である。
【図１２】重油を改質して使用する場合に従来予想される第２の販売システムを説明する図である。
【符号の説明】
【００４４】
１…灯軽油タンク、２…ガスタービン、３…発電機、４…排熱回収ボイラー、５…重油加熱器、６…改質器、７…改質油減圧弁、８…水、９…ポンプ、１０…重油、１１…ポンプ、１２…改質油、１３…気液分離器、１４…水素分離装置、１５…水素タンク。
【図１】
2005208877.tif 000003
【図２】
2005208877.tif 000004
【図３】
2005208877.tif 000005
【図４】
2005208877.tif 000006
【図５】
2005208877.tif 000007
【図６】
2005208877.tif 000008
【図７】
2005208877.tif 000009
【図８】
2005208877.tif 000010
【図９】
2005208877.tif 000011
【図１０】
2005208877.tif 000012
【図１１】
2005208877.tif 000013
【図１２】
2005208877.tif 000014